(57)【要約】      （修正有）【課題】気道の洗浄、気道の保湿、局所又は全身の保健を実現する空気加湿装置を提供する。【解決手段】ハウジング１と、ハウジングの内側に設けられる加湿機構１０１と、加湿機構の一方側に固定して接続される貯液箱１０２と、を含む空気加湿装置であって、ハウジングの頂部にタンク２が設けられ、タンクカバー２０１は、バックルを介してタンクの頂端に接続され、タンクカバーの上面に第１モータ２０２が設けられ、タンクカバーの下にブレードが設けられ、タンクの底部に接続パイプ３が形成され、貯液箱の内側にバックルを介して変換器４が接続され、接続パイプの一方側に超音波発生器４０１が設けられ、貯液箱の底部に第２モータ５が設けられ、第２モータの動力出力端に攪拌翼が回転可能に接続される。処理済の薬液が加湿機構に輸送された後に霧化され、霧化されたミストが噴霧される。【選択図】図１
0003232728.tif 000002
【実用新案登録請求の範囲】
【請求項１】
ハウジング（１）と、前記ハウジング（１）の内側に設けられる加湿機構（１０１）と、前記加湿機構（１０１）の一方側に固定して接続される貯液箱（１０２）と、を含む空気加湿装置であって、
前記ハウジング（１）の頂部にタンク（２）が設けられ、
タンクカバー（２０１）は、バックルを介して前記タンク（２）の頂端に接続され、
前記タンクカバー（２０１）の上面に第１モータ（２０２）が設けられ、
前記タンクカバー（２０１）の下にブレード（２０３）が設けられ、
前記タンク（２）の底部に接続パイプ（３）が形成され、
前記貯液箱（１０２）の内側にバックルを介して変換器（４）が接続され、
前記接続パイプ（３）の一方側に超音波発生器（４０１）が設けられ、
前記貯液箱（１０２）の底部に第２モータ（５）が設けられ、
前記第２モータ（５）の動力出力端に攪拌翼（５０１）が回転可能に接続され、
前記タンク（２）内側に筒体（６）が取り外し可能に接続され、
前記筒体（６）の内壁にコットンフィルタ（６０２）が設けられる
ことを特徴とする空気加湿装置。
【請求項２】
請求項１に記載の空気加湿装置であって、
前記ブレード（２０３）の一端側に連結軸（２０４）が固定して接続され、
前記連結軸（２０４）は前記第１モータ（２０２）の動力出力端に伝動接続される
ことを特徴とする空気加湿装置。
【請求項３】
請求項１に記載の空気加湿装置であって、
前記接続パイプ（３）の外側にウォーターポンプ（３０１）が設けられる
ことを特徴とする空気加湿装置。
【請求項４】
請求項１に記載の空気加湿装置であって、
前記接続パイプ（３）は、貯液箱（１０２）の頂端に連通する
ことを特徴とする空気加湿装置。
【請求項５】
請求項１に記載の空気加湿装置であって、
前記変換器（４）の入力端は、前記超音波発生器（４０１）の出力端に信号接続される
ことを特徴とする空気加湿装置。
【請求項６】
請求項１に記載の空気加湿装置であって、
前記攪拌翼（５０１）の羽根は、貯液箱（１０２）の内腔の底部に位置する
ことを特徴とする空気加湿装置。
【請求項７】
請求項１に記載の空気加湿装置であって、
前記攪拌翼（５０１）が貯液箱（１０２）の内腔の底部に挿入する部分にシール材（５０２）が設けられる
ことを特徴とする空気加湿装置。
【請求項８】
請求項１に記載の空気加湿装置であって、
前記筒体（６）の表面に通孔（６０１）が形成される
ことを特徴とする空気加湿装置。
【請求項９】
請求項１に記載の空気加湿装置であって、
バンプ（６０３）は、前記筒体（６）の頂部開口の縁側に周設され、
前記バンプ（６０３）の下に支持ブロック（６０４）が固定して接続される
ことを特徴とする空気加湿装置。
【請求項１０】
請求項１に記載の空気加湿装置であって、
前記貯液箱（１０２）の頂部の縁側に排気パイプ（７）が連通して接続され、
前記排気パイプ（７）は、ハウジング（１）を貫通する
ことを特徴とする空気加湿装置。
【考案の詳細な説明】
【技術分野】
【０００１】
本考案は、空気加湿技術領域に関し、特に空気加湿装置に関する。
【背景技術】
【０００２】
国際ＨＶＡＣ（Ｈｅａｔｉｎｇ，  Ｖｅｎｔｉｌａｔｉｏｎ，  ａｎｄ  Ａｉｒ  Ｃｏｎｄｉｔｉｏｎｉｎｇ）業界の分析によると、人間は、気温２２〜２６℃、相対湿度４０〜６０％の環境での生活や仕事に最適で、最も作業効率が高い。乾燥した空気により、空気中の粉塵が飛散し、人に苛立ちを感じさせ、気管支炎の発生率を大幅に増加させ、ドア、窓、及び木製家具の乾燥や変形を引き起こし、静電気を大幅に増加させ、人に不快感を感じさせる。このため、室内空気が乾燥している場合、作業効率を効果的に確保するために、室内空気を加湿する必要がある。
【０００３】
加湿設備は、部屋の湿度を増加させるための家電であり、指定の部屋を加湿することができ、ボイラーやセントラル空調システムに接続して建物全体を加湿することもできる。
【０００４】
しかしながら、従来の空気加湿装置は、主に以下の欠点を有する。
従来の空気加湿装置は、空気加湿機能しかなく、保健機能を有しない。建物内に人が多い場合、建物内空気質が悪くなり、このような空気が体に吸い込まれると、不快感を感じさせることがある。
【考案の概要】
【０００５】
本考案は、上述した欠点を克服するために、空気加湿装置を提供することを目的とする。具体的には、以下の欠点を克服する。従来の空気加湿装置は、空気加湿機能しかなく、保健機能を有しない。建物内に人が多い場合、建物内空気質が悪くなり、このような空気が体に吸い込まれると、不快感を感じさせることがある。
【０００６】
上述した目的を実現するために、本考案のある実施例によれば、ハウジングと、前記ハウジングの内側に設けられる加湿機構と、前記加湿機構の一方側に固定して接続される貯液箱と、を含む空気加湿装置を提供する。前記ハウジングの頂部にタンクが設けられ、タンクカバーは、バックルを介して前記タンクの頂端に接続され、前記タンクカバーの上面に第１モータが設けられ、前記タンクカバーの下にブレードが設けられ、前記タンクの底部に接続パイプが形成され、前記貯液箱の内側にバックルを介して変換器が接続され、前記接続パイプの一方側に超音波発生器が設けられ、前記貯液箱の底部に第２モータが設けられ、前記第２モータの動力出力端に攪拌翼が回転可能に接続され、前記タンク内側に筒体が取り外し可能に接続され、前記筒体の内壁にコットンフィルタが設けられる。
【０００７】
また、前記ブレードの一端側に連結軸が固定して接続され、前記連結軸は前記第１モータの動力出力端に伝動接続される。第１モータを電源に接続することにより、ブレードを高速回転させ、筒体内の漢方薬を粉砕し、薬材中の薬物分子を水に素早く溶かすことができる。
【０００８】
好ましくは、前記接続パイプの外側にウォーターポンプが設けられる。これにより、タンク中の薬液の抽送が速くなる。
【０００９】
好ましくは、前記接続パイプは、貯液箱の頂端に連通する。これにより、薬液の輸送が容易になる。
【００１０】
好ましくは、前記変換器の入力端は、超音波発生器の出力端に信号接続される。超音波発生器が発生した音波が変換器により運動エネルギーに変換され、薬材の利用率が向上し、薬効が最大化される。
【００１１】
好ましくは、前記攪拌翼の羽根は、貯液箱の内腔の底部に位置する。これにより、貯液箱の内側における液体の混合速度が速くなる。
【００１２】
好ましくは、前記攪拌翼が貯液箱の内腔の底部に挿入する部分にシール材が設けられる。シール材を設けることにより、攪拌翼と貯液箱底部の接合部での漏れが防止される。
【００１３】
好ましくは、前記筒体の表面に通孔が形成される。遠心力により、通孔からの薬液の浸透が促進される。
【００１４】
好ましくは、バンプは、前記筒体の頂部開口の縁側に周設され、前記バンプの下に支持ブロックが固定して接続される。支持ブロックがバンプを支持することにより、筒体の取り外しが容易になり、筒体内側の薬滓が容易に除去される。
【００１５】
好ましくは、前記貯液箱の頂部の縁側に排気パイプが連通して接続され、前記排気パイプは、ハウジングを貫通する。排気パイプを設けることにより、貯液箱の圧力を解放できるとともに排気パイプを通じて貯液箱の内部に水を補充できる。
【考案の効果】
【００１６】
本考案の態様は、下記の有益な効果を奏する。
本考案では、筒体の内側に適量の漢方薬を加え、同時に漢方薬が浸されるようにタンクの内側に適量の水を加えて、薬材を一定時間水に浸す。タンクカバーでカバーすることにより、ブレードが到筒体の内側に入り込み、第１モータを電源に接続することにより、ブレードを高速回転させ、筒体内の漢方薬を粉砕し、薬材中の薬物分子を水に素早く溶かすことができる。また、接続パイプを通じて、タンクで処理済の薬液を貯液箱に輸送する。処理済の薬液が加湿機構に輸送された後に霧化され、霧化されたミストが噴霧される。これにより、薬物は、小さな液滴や粒子に分散され、空気中に浮遊し、気道や肺に入り、気道の洗浄、気道の保湿、局所又は全身の保健を実現する。
【００１７】
本考案では、貯液箱に適量の水と溶媒を加え、薬液を希釈する。同時に第２モータを電源に接続することにより、攪拌翼を回転させ、薬液と水の混合速度が速くなる。変換器により超音波発生器が発生した音波を運動エネルギーに変換することにより、薬材の細胞壁が効果的に破壊され、その有効成分が遊離状態になり水溶液に溶解されるとともに、抽出溶媒の分子運動が速くなるため、抽出溶媒と薬材の有効成分が素早く接触し、溶解され、混合される。これにより、薬材の利用率が向上し、薬効が最大化される。
【図面の簡単な説明】
【００１８】
【図１】本考案の実施例に係る全体構造模式図である。
【図２】本考案の実施例に係るタンクカバーの構造模式図である。
【図３】本考案の実施例に係る筒体の断面構造模式図である。
【図４】本考案の実施例に係る攪拌翼の構造模式図である。
【考案を実施するための形態】
【００１９】
図１−４に示すように、本考案は、ハウジング１と、前記ハウジング１の内側に設けられる加湿機構１０１と、前記加湿機構１０１の一方側に固定して接続される貯液箱１０２と、を含む空気加湿装置を提供する。前記ハウジング１の頂部にタンク２が設けられ、タンクカバー２０１は、バックルを介して前記タンク２の頂端に接続され、前記タンクカバー２０１の上面に第１モータ２０２が設けられ、前記タンクカバー２０１の下にブレード２０３が設けられ、前記タンク２の底部に接続パイプ３が形成され、前記貯液箱１０２の内側にバックルを介して変換器４が接続され、前記接続パイプ３の一方側に超音波発生器４０１が設けられ、前記貯液箱１０２の底部に第２モータ５が設けられ、前記第２モータ５の動力出力端に攪拌翼５０１が回転可能に接続され、前記タンク２内側に筒体６が取り外し可能に接続され、前記筒体６の内壁にコットンフィルタ６０２が設けられる。
【００２０】
筒体６の内側に適量の漢方薬を加え、同時に漢方薬が浸されるようにタンク２の内側に適量の水を加えて、薬材を一定時間水に浸す。タンクカバー２０１でカバーすることにより、ブレード２０３が筒体６の内側に入り込み、第１モータ２０２を電源に接続することにより、ブレード２０３を高速回転させ、筒体６内の漢方薬を粉砕し、薬材中の薬物分子を水に素早く溶かすことができる。コットンフィルタ６０２で薬滓を濾過し、薬液が通孔６０１を通してタンク２に入る。また、接続パイプ３を通じて、タンク２で処理済の薬液を貯液箱１０２に輸送する。貯液箱１０２に適量の水と溶媒を加え、薬液を希釈する。同時に第２モータ５を電源に接続することにより、攪拌翼５０１を回転させ、薬液と水の混合速度が速くなる。変換器４により超音波発生器４０１が発生した音波を運動エネルギーに変換することにより、薬材の細胞壁が効果的に破壊され、その有効成分が遊離状態になり水溶液に溶解されるとともに、抽出溶媒の分子運動が速くなるため、抽出溶媒と薬材の有効成分が素早く接触し、溶解され、混合される。これにより、薬材の利用率が向上し、薬効が最大化される。処理済の薬液が加湿機構１０１に輸送された後に霧化され、霧化されたミストが噴霧される。これにより、薬物は、小さな液滴や粒子に分散され、空気中に浮遊し、気道や肺に入り、気道の洗浄、気道の保湿、局所又は全身の保健を実現する。
【００２１】
また、前記ブレード２０３の一端側に連結軸２０４が固定して接続され、前記連結軸２０４は、前記第１モータ２０２の動力出力端に伝動接続される。第１モータ２０２を電源に接続することにより、ブレード２０３を高速回転させ、筒体６内の漢方薬を粉砕し、薬材中の薬物分子を水に素早く溶かすことができる。
【００２２】
また、前記接続パイプ３の外側にウォーターポンプ３０１が設けられる。これにより、タンク２中の薬液の抽送が速くなる。
【００２３】
また、前記接続パイプ３は、貯液箱１０２の頂端に連通する。これにより、薬液の輸送が容易になる。
【００２４】
また、前記変換器４の入力端は、超音波発生器４０１の出力端に信号接続される。超音波発生器４０１が発生した音波が変換器４により運動エネルギーに変換され、薬材の利用率が向上し、薬効が最大化される。
【００２５】
また、前記攪拌翼５０１の羽根は、貯液箱１０２の内腔の底部に位置する。これにより、貯液箱１０２の内側における液体の混合速度が速くなる。
【００２６】
また、前記攪拌翼５０１が貯液箱１０２の内腔の底部に挿入する部分にシール材５０２が設けられる。シール材５０２を設けることにより、攪拌翼５０１と貯液箱１０２底部の接合部での漏れが防止される。
【００２７】
また、前記筒体６の表面に通孔６０１が形成される。遠心力により、通孔６０１からの薬液の浸透が促進される。
【００２８】
また、バンプ６０３は、前記筒体６の頂部開口の縁側に周設され、前記バンプ６０３の下に支持ブロック６０４が固定して接続される。支持ブロック６０４がバンプ６０３を支持することにより、筒体６の取り外しが容易になり、筒体内側の薬滓が容易に除去される。
【００２９】
また、前記貯液箱１０２の頂部の縁側に排気パイプ７が連通して接続され、前記排気パイプ７は、ハウジング１を貫通する。排気パイプ７を設けることにより、貯液箱１０２の圧力を解放できるとともに排気パイプ７を通じて貯液箱１０２の内部に水を補充できる。
【００３０】
なお、空気加湿装置において、筒体６の内側に適量の漢方薬を加え、同時に漢方薬が浸されるようにタンク２の内側に適量の水を加えて、薬材を一定時間水に浸す。タンクカバー２０１でカバーすることにより、ブレード２０３が筒体６の内側に入り込み、第１モータ２０２を電源に接続することにより、ブレード２０３を高速回転させ、筒体６内の漢方薬を粉砕し、薬材中の薬物分子を水に素早く溶かすことができる。コットンフィルタ６０２で薬滓を濾過し、薬液が通孔６０１を通してタンク２に入る。また、接続パイプ３を通じて、タンク２で処理済の薬液を貯液箱１０２に輸送する。貯液箱１０２に適量の水と溶媒を加え、薬液を希釈する。同時に第２モータ５を電源に接続することにより、攪拌翼５０１を回転させ、薬液と水の混合速度が速くなる。変換器４により超音波発生器４０１が発生した音波を運動エネルギーに変換することにより、薬材の細胞壁が効果的に破壊され、その有効成分が遊離状態になり水溶液に溶解されるとともに、抽出溶媒の分子運動が速くなるため、抽出溶媒と薬材の有効成分が素早く接触し、溶解され、混合される。これにより、薬材の利用率が向上し、薬効が最大化される。処理済の薬液が加湿機構１０１に輸送された後に霧化され、霧化されたミストが噴霧される。これにより、薬物は、小さな液滴や粒子に分散され、空気中に浮遊し、気道や肺に入り、気道の洗浄、気道の保湿、局所又は全身の保健を実現する。また、前記ブレード２０３の一端側に連結軸２０４が固定して接続され、前記連結軸２０４は、前記第１モータ２０２の動力出力端に伝動接続される。第１モータ２０２を電源に接続することにより、ブレード２０３を高速回転させ、筒体６内の漢方薬を粉砕し、薬材中の薬物分子を水に素早く溶かすことができる。また、前記接続パイプ３の外側にウォーターポンプ３０１が設けられる。前記接続パイプ３は、貯液箱１０２の頂端に連通する。ウォーターポンプ３０１を電源に接続することにより、タンク２中の薬液の抽送が速くなる。また、前記変換器４の入力端は、超音波発生器４０１の出力端に信号接続される。超音波発生器４０１が発生した音波が変換器４により運動エネルギーに変換され、薬材の利用率が向上し、薬効が最大化される。また、前記攪拌翼５０１の羽根は、貯液箱１０２の内腔の底部に位置する。前記攪拌翼５０１が貯液箱１０２の内腔の底部に挿入する部分にシール材５０２が設けられる。シール材５０２を設けることにより、攪拌翼５０１と貯液箱１０２底部の接合部での漏れが防止される。バンプ６０３は、前記筒体６の頂部開口の縁側に周設され、前記バンプ６０３の下に支持ブロック６０４が固定して接続される。前記貯液箱１０２の頂部の縁側に排気パイプ７が連通して接続され、前記排気パイプ７は、ハウジング１を貫通する。支持ブロック６０４がバンプ６０３を支持することにより、筒体６の取り外しが容易になり、筒体内側の薬滓が容易に除去される。排気パイプ７を設けることにより、貯液箱１０２の圧力を解放できるとともに排気パイプ７を通じて貯液箱１０２の内部に水を補充できる。ここで、超音波発生器４０１は、ＴＨＤ−Ｔ１型であってもよい。
【符号の説明】
【００３１】
１：ハウジング
１０１：加湿機構
１０２：貯液箱
２：タンク
２０１：タンクカバー
２０２：第１モータ
２０３：ブレード
２０４：連結軸
３：接続パイプ
３０１：ウォーターポンプ
４：変換器
４０１：超音波発生器
５：第２モータ
５０１：攪拌翼
５０２：シール材
６：筒体
６０１：通孔
６０２：コットンフィルタ
６０３：バンプ
６０４：支持ブロック
７：排気パイプ
【図１】
0003232728.tif 000003
【図２】
0003232728.tif 000004
【図３】
0003232728.tif 000005
【図４】
0003232728.tif 000006